(57)【要約】【課題】デザイン性が向上したテレビを提供する。【解決手段】一つの実施の形態に係るテレビは、筐体と、ディスプレイモジュールと、チューナと、基板と、電子部品とを具備する。前記筐体は、ディスプレイ開口が設けられた前面部と、通気口が設けられた背面部と、を有する。前記ディスプレイモジュールは、前記筐体に収容されるとともに前記ディスプレイ開口から露出され、画像を表示する。前期チューナは前記筐体に収容される。前記基板は、前記筐体に収容され、実装面を有する。前記電子部品は、端子を有し、前記基板の前記実装面に実装される。前記実装面に、前記電子部品の前記端子が電気的に接続された導電部を有するとともに第１の色に着色された第１の領域と、一部が前記通気口から視認可能な位置に設けられるとともに前記第１の色よりも解像性が低い第２の色に着色され、前記第１の領域に隣接した第２の領域と、が設けられる。【選択図】    図３
2012227782.tif 000002
【特許請求の範囲】
【請求項１】
ディスプレイ開口が設けられた前面部と、通気口が設けられた背面部と、を有した筐体と、
前記筐体に収容されるとともに前記ディスプレイ開口から露出され、画像を表示するディスプレイモジュールと、
前記筐体に収容されたチューナと、
前記筐体に収容され、実装面を有した基板と、
端子を有し、前記基板の前記実装面に実装された電子部品と、
を具備し、
前記実装面に、前記電子部品の前記端子が電気的に接続された導電部を有するとともに第１の色に着色された第１の領域と、一部が前記通気口から視認可能な位置に設けられるとともに前記第１の色よりも解像性が低い第２の色に着色され、前記第１の領域に隣接した第２の領域と、が設けられたことを特徴とするテレビ。
【請求項２】
開口部が設けられた筐体と、
前記筐体に収容され、導電部を有するとともに第１の色に着色された第１の領域と、前記開口部の近傍に設けられるとともに前記第１の色と異なる第２の色に着色された第２の領域と、を有した基板と、
前記導電部に電気的に接続された電子部品と、
を具備したことを特徴とする電子機器。
【請求項３】
前記第１の領域は、前記第１の色に着色されたソルダレジストによって形成され、
前記第２の領域は、前記第２の色に着色されたソルダレジストによって形成されたことを特徴とする請求項２に記載の電子機器。
【請求項４】
前記第１の色は、前記第２の色よりも解像性が高いことを特徴とする請求項３に記載の電子機器。
【請求項５】
前記基板は、第１の面と、前記第１の面の反対側に位置する第２の面とを有し、
前記第１の領域および前記第２の領域は、前記基板の第１の面にそれぞれ設けられたことを特徴とする請求項３または請求項４に記載の電子機器。
【請求項６】
前記電子部品は、パッケージ部と、前記パッケージ部から突出し前記導電部に接続された端子とを有し、
前記第１の領域は、前記パッケージ部に覆われたことを特徴とする請求項５に記載の電子機器。
【請求項７】
前記基板は、第１の面と、前記第１の面の反対側に位置する第２の面とを有し、
前記第１の領域は、前記基板の前記第１の面に設けられ、
前記第２の領域は、前記基板の前記第２の面に設けられたことを特徴とする請求項３または請求項４に記載の電子機器。
【請求項８】
前記基板は、前記第１の色と異なるとともに前記第２の色と異なる第３の色に着色された第３の領域を有したことを特徴とする請求項２に記載の電子機器。
【請求項９】
前記基板は、第１の面と、前記第１の面の反対側に位置する第２の面と、前記第１の面から前記第２の面に亘って設けられ前記第２の色に着色された縁部と、を有したことを特徴とする請求項２に記載の電子機器。
【請求項１０】
開口部が設けられた筐体と、
前記筐体に収容され、第１の色に着色された第１の領域と、前記開口部から露出されるとともに前記第１の色と異なる第２の色に着色された第２の領域と、を有したモジュールと、
を具備したことを特徴とする電子機器。
【発明の詳細な説明】
【技術分野】
【０００１】
本発明の実施形態は、テレビおよび電子機器に関する。
【背景技術】
【０００２】
テレビやポータブルコンピュータのような電子機器は、電子部品が実装されたプリント配線板を備える。プリント配線板のような基板は、例えば導電層を半田から保護するための有色のソルダレジストの層を有する。ソルダレジストの色は、デザイン性の観点から決定される可能性がある。
【先行技術文献】
【特許文献】
【０００３】
【特許文献１】特開２００８−３００６６６号公報
【発明の概要】
【発明が解決しようとする課題】
【０００４】
デザイン性を向上させるために内蔵部品の着色が行なわれた電子機器には、未だ改良の余地がある。
【０００５】
本発明の目的は、デザイン性が向上したテレビおよび電子機器を提供することにある。
【課題を解決するための手段】
【０００６】
一つの実施の形態に係るテレビは、筐体と、ディスプレイモジュールと、チューナと、基板と、電子部品とを具備する。前記筐体は、ディスプレイ開口が設けられた前面部と、通気口が設けられた背面部と、を有する。前記ディスプレイモジュールは、前記筐体に収容されるとともに前記ディスプレイ開口から露出され、画像を表示する。前期チューナは前記筐体に収容される。前記基板は、前記筐体に収容され、実装面を有する。前記電子部品は、端子を有し、前記基板の前記実装面に実装される。前記実装面に、前記電子部品の前記端子が電気的に接続された導電部を有するとともに第１の色に着色された第１の領域と、一部が前記通気口から視認可能な位置に設けられるとともに前記第１の色よりも解像性が低い第２の色に着色され、前記第１の領域に隣接した第２の領域と、が設けられる。
【図面の簡単な説明】
【０００７】
【図１】第１の実施の形態に係るテレビを示す斜視図。
【図２】第１の実施形態のテレビを一部切り欠いて後から示す斜視図。
【図３】第１の実施形態のプリント配線板を示す平面図。
【図４】第１の実施形態のプリント配線板の一部を図３のＦ４−Ｆ４線に沿って示す断面図。
【図５】第１の実施形態のプリント配線板の一部を図３のＦ５−Ｆ５線に沿って示す断面図。
【図６】第２の実施の形態に係るプリント配線板を示す平面図。
【図７】第２の実施形態のテレビの一部を図６のＦ７−Ｆ７線に沿って示す断面図。
【図８】第２の実施形態の銅張積層板と塗布装置とを模式的に示す斜視図。
【図９】第３の実施の形態に係るポータブルコンピュータを一部切り欠いて示す斜視図。
【図１０】第３の実施形態のポータブルコンピュータの底面を一部切り欠いて示す平面図。
【図１１】第３の実施形態のポータブルコンピュータの一部を図９のＦ１１−Ｆ１１線に沿って示す断面図。
【発明を実施するための形態】
【０００８】
以下に、第１の実施の形態について、図１から図５を参照して説明する。図１は、第１の実施形態のテレビ１を示す斜視図である。図２は、一部を切り欠いたテレビ１を後（図１の反対側）から示す斜視図である。テレビ１は、電子機器の一例である。
【０００９】
図１に示すように、テレビ１は、表示装置１０と、スタンド１１とを備えている。スタンド１１は、台部（支持部、支部、第１支持部、第１支部）１５と、支柱（支持部、支部、接続部、突出部、第２支持部、第２支部）１６とを有している。台部１５は、矩形の板状に形成されている。台部１５の底面（表示装置１０の反対側の面、壁部、壁、面、部分、領域）に、例えば複数のゴム脚（支持部、支部、第３支持部、第３支部）が設けられている。支柱１６は、台部１５から突出している。支柱１６は、表示装置１０に接続されることで、表示装置１０を支持する。
【００１０】
図２に示すように、表示装置１０は、筐体２１と、ディスプレイモジュール２２と、チューナ２３と、プリント配線板２４とを備えている。プリント配線板２４は、基板およびモジュールの一例である。本明細書において、プリント配線板は、基板、回路板、またはプリント回路基板と称されるものを含む。ディスプレイモジュール２２と、チューナ２３と、プリント配線板２４とは、それぞれ筐体２１に収容されている。
【００１１】
筐体２１は、フロントカバー（第１のカバー、覆部、筐体、部分、領域）３１と、リアカバー（第２のカバー、覆部、筐体、部分、領域）３２とを有している。フロントカバー３１は、図１に示す筐体２１の前面部（画像を見るユーザ側の面を形成する部分、壁部、壁、面、部分、領域）２１ａを形成する。リアカバー３２は、筐体２１の側面部２１ｂおよび背面部（前面部２１ａの反対側の面を形成する部分、壁部、壁、面、部分、領域）２１ｃを形成する。なお、フロントカバー３１が筐体２１の側面部（前面と背面との間に野延びた部分、壁部、壁、面、部分、領域）２１ｂを形成しても良い。
【００１２】
図１に示すように、筐体２１の前面部２１ａに、ディスプレイ開口（開口部）３４が設けられている。ディスプレイ開口３４は、ディスプレイモジュール２２を露出させる。なお、ディスプレイモジュール２２は、ディスプレイ開口３４から直接露出されても良いし、例えば筐体２１の前面部２１ａを覆う透光性のフィルタを介して露出されても良い。
【００１３】
ディスプレイモジュール２２は、例えば液晶ディスプレイであり、矩形の板状に形成されている。なお、ディスプレイモジュール２２は、プラズマディスプレイや有機ＥＬディスプレイのような他のディスプレイであっても良い。ディスプレイモジュール２２は、ディスプレイ開口３４から露出された表示面に動画や静止画のような画像を表示する。
【００１４】
図２に示すように、筐体２１の側面部２１ｂに、複数のボタン３６と、カード挿入口（開口部）３７と、メディア挿入口（開口部）３８とが設けられている。ボタン３６は、例えば電源スイッチ、チャンネル調整、および音量調節のためにそれぞれ用いられる。カード挿入口３７は、例えばＢ−ＣＡＳカードが挿入される開口（開口部）である。メディア挿入口３８は、例えばメモリーカードが挿入される開口（開口部）である。
【００１５】
筐体２１の背面部２１ｃに、複数の通気口（開口部）４１と、凹部（開口部）４２とが設けられている。通気口４１は、開口部の一例である。通気口４１は、筐体２１の内部を冷却するために、吸気口または排気口として用いられる。なお、通気口４１は、筐体２１の背面部２１ｃに限らず、例えば側面部２１ｂに設けられても良い。
【００１６】
凹部４２は、筐体２１の背面部２１ｃから凹んで設けられている。凹部４２に、支柱１６が例えばネジによって固定されている。凹部４２に、ＵＳＢコネクタやＨＤＭＩコネクタのような複数のコネクタが設けられている。
【００１７】
チューナ２３は、プリント配線板２４に電気的に接続されている。チューナ２３は、凹部４２から突出する端子２３ａを有している。チューナ２３の端子２３ａには、給電線が接続される。なお、表示装置１０は、複数の他のチューナをさらに備えても良い。この場合、端子２３ａは、チューナ２３および前記複数の他のチューナに共用される。
【００１８】
図３は、プリント配線板２４を示す平面図である。図４は、図３のＦ４−Ｆ４線に沿ってプリント配線板２４の一部を示す断面図である。図５は、図３のＦ５−Ｆ５線に沿ってプリント配線板２４の一部を示す断面図である。
【００１９】
図５に示すように、プリント配線板２４は、第１の面４５と、第２の面４６と、縁部４７とを有している。第１の面４５は、実装面の一例である。第１の実施形態におけるプリント配線板２４は、いわゆる片面実装方式のプリント配線板である。
【００２０】
図２に示すように、第１の面４５は、リアカバー３２の内面と対向している。第２の面４６は、第１の面４５の反対側に位置し、ディスプレイモジュール２２と対向している。縁部４７は、第１の面４５から第２の面４６に亘って設けられている。
【００２１】
プリント配線板２４は、例えば、複数の絶縁板、複数の導電層、および複数のソルダレジスト（塗料、材料）がそれぞれ積層されて形成される。なお、図４および図５において、互いに重ねられた複数の絶縁板と複数の導電層とは、銅張積層板（導電部、導電基板、基板、板部、導電層、層、基部）４８として一体に示す。銅張積層板４８は、プリント配線板２４からソルダレジストを除いた部分である。
【００２２】
図３に示すように、第１の面４５に、２つの第１の領域５１，５２と、第２の領域５３と、２つの第３の領域５４とがそれぞれ設けられている。図４に示すように、第１ないし第３の領域５１，５２，５３，５４は、銅張積層板４８の一方の面４８ａに塗布されたソルダレジストによってそれぞれ形成されている。第１ないし第３の領域５１，５２，５３，５４は、ほぼ平坦に連続している。
【００２３】
第１の領域５１，５２は、青色に着色されたソルダレジストによって形成されている。青色は、第１の色の一例である。第１の領域５１，５２はこれに限らず、例えば緑色に着色されたソルダレジストによって形成されても良い。
【００２４】
図３に示すように、第１の領域５１，５２は、それぞれ略正方形に形成されている。第１の領域５１，５２はこれに限らず、矩形や円形のような他の形状に形成されても良い。一方の第１の領域５１は、他方の第１の領域５２よりも狭く形成されている。他方の第１の領域５２は、プリント配線板２４の縁部４７に隣接している。
【００２５】
第１の領域５１，５２は、それぞれ複数のパッド５６を有している。複数のパッド５６は、導電部の一例である。複数のパッド５６は、第１の領域５１，５２において、それぞれマトリクス状に配置されている。
【００２６】
第２の領域５３は、光沢のある黒色に着色されたソルダレジストによって形成されている。黒色は、第１の色と異なる第２の色の一例である。なお、第２の領域５３の黒色は、完全な黒色に限らない。この黒色は、第１の領域５１，５２の青色よりも濃い色であれば、例えば青味を帯びていても良い。また、第１の領域５１，５２の色は、第１の領域５１，５２の青色よりも黒っぽい色であれば、例えば黒味がかった紺色であっても良い。
【００２７】
第２の色に着色されたソルダレジストは、第１の色に着色されたソルダレジストと特性が異なる。例えば、光の吸収量の違いにより、第１の色の一例である青色のソルダレジストは、第２の色の一例である黒色のソルダレジストよりも解像性が高い。解像性は、パターン形成の際に、どれほど線幅の狭いパターンを形成できるかを表す。すなわち、第１の色に着色された第１の領域５１，５２には、第２の色に着色された第２の領域５３よりも細かいパターンやパッドを形成することができる。
【００２８】
第２の領域５３は、第１の領域５１，５２を囲んでいる。言い換えると、第２の領域５３は、第１の領域５１，５２に隣接している。図２に示すように、第２の領域５３の一部が、複数の通気口４１の近傍に設けられている。言い換えると、第２の領域５３の一部が、複数の通気口４１から視認可能な位置に設けられている。第２の領域５３は、暗色である黒色に着色されているため、通気口４１から視認された際に目立ち難い。
【００２９】
２つの第３の領域５４は、緑色に着色されたソルダレジストによって形成されている。緑色は、第１の色と異なるとともに第２の色と異なる第３の色の一例である。第３の領域５４はこれに限らず、例えば青色に着色されたソルダレジストによって形成されても良い。
【００３０】
図３に示すように、第３の領域５４は、それぞれ複数のパッド５８を有している。複数のパッド５８は、２つの第３の領域５４において、それぞれ枠状に並んで配置されている。
【００３１】
第１の面４５に、２つのＢＧＡ６１，６２と、２つのＱＦＰ６３と、例えばコンデンサのような複数の他の電子部品６４とが実装されている。ＢＧＡ６１，６２は、電子部品の一例である。ＢＧＡ６１，６２と、ＱＦＰ６３とは、いわゆる高密度実装用の部品である。図３において、ＢＧＡ６１，６２とＱＦＰ６３とは、それぞれ二点鎖線で示される。図４および図５は、ＢＧＡ６１，６２の側面をそれぞれ示す。
【００３２】
図４に示すように、一方のＢＧＡ６１は、パッケージ部６７と、複数の端子６８とを有している。パッケージ部６７は、略正方形の板状に形成されている。パッケージ部６７は、つや消しの黒色に着色されている。パッケージ部６７は、一方の第１の領域５１よりも大きく形成されており、この第１の領域５１を覆っている。
【００３３】
複数の端子６８は、パッケージ部６７の底面（第１の面４５と対向する面）からそれぞれ突出した半田ボールである。複数の端子６８は、第１の領域５１に設けられた複数のパッド５６にそれぞれ電気的に接続されている。
【００３４】
図５に示すように、他方のＢＧＡ６２は、他方の第１の領域５２に設けられた複数のパッド５６にそれぞれ電気的に接続されている。第１の領域５２は、ＢＧＡ６２よりも大きく形成されている。
【００３５】
図３に示すように、２つのＱＦＰ６３は、２つの第３の領域５４にそれぞれ設けられた複数のパッド５８に、それぞれ電気的に接続されている。複数の他の電子部品６４は、第２の領域５３にそれぞれ実装されている。
【００３６】
第１ないし第３の領域５１，５２，５３，５４は、例えば次のように形成される。まず、スクリーン印刷によって、銅張積層板４８の一方の面４８ａに黒色に着色されたソルダレジストを塗布する。次に、黒色のソルダレジストの上（銅張積層板４８の反対側）にマスキング用のフィルムを配置する。次に、露光を行なって第２の領域５３が設けられる部分の黒色のソルダレジストを硬化させた後、エッチングを施す。これにより、第２の領域５３が形成される。次に、銅張積層板４８の第２の領域５３が形成されていない部分に、青色に着色されたソルダレジストを塗布する。次に、マスキング、露光、およびエッチングを行い、第１の領域５１，５２を形成する。次に、銅張積層板４８の第１および第２の領域５１，５２，５３が形成されていない部分に、緑色に着色されたソルダレジストを塗布する。次に、マスキング、露光、およびエッチングを行い、第３の領域５４を形成する。これにより、第１ないし第３の領域５１，５２，５３，５４が形成される。
【００３７】
図５に示すように、プリント配線板２４の第２の面４６は、ソルダレジスト層７１によって形成されている。ソルダレジスト層７１は、銅張積層板４８の他方の面４８ｂに塗布されたソルダレジストによって形成されている。ソルダレジスト層７１は、例えば黒色に着色されている。なお、ソルダレジスト層７１の色は、黒色に限らず、青色のような他の色でも良い。
【００３８】
プリント配線板２４の縁部４７は、第２の領域と同じ光沢のある黒色に着色されている。縁部４７は、例えばインクによって塗装されている。なお、縁部４７は、ソルダレジストによって形成されても良い。
【００３９】
前記構成のテレビ１によれば、一部が通気口４１から視認可能な位置に設けられた第２の領域５３は、黒色に着色されている。これにより、プリント配線板２４が目立ち難くなり、テレビ１のデザイン性が向上する。
【００４０】
一方で、第１の領域５１，５２が、黒色よりも解像性が高い青色に着色されている。第１の領域５１，５２には、いわゆる高密度実装用の部品であるＢＧＡ６１，６２が電気的に接続される複数のパッド５６がそれぞれ設けられている。青色は黒色よりも解像性が高いため、ＢＧＡ６１，６２に対応した微細なパッド５６を形成できる。
【００４１】
また、プリント配線板２４は、製造工程において光学的自動検査を受ける。すなわち、カメラやセンサのような機器によって、パターンの形成状況や部品の実装状況が検査される。第１の色の一例である青色や緑色は、第２の色の一例である黒色よりも光学的自動検査時の識別が容易である。例えば、カメラやセンサによっては、第２の領域５３の黒色と、ＢＧＡ６１，６２のパッケージ部６７の黒色との判別が難しい場合がある。ＢＧＡ６１，６２が実装される第１の領域５１，５２が青色に着色されることで、光学的自動検査が容易になる。
【００４２】
以上のように、第１の領域５１，５２および第２の領域５３のそれぞれの条件に応じて、第１の領域５１，５２の色と、第２の領域５３の色とを決定することができる。これにより、通気口４１から視認可能な個所を黒色に着色したとしても、高密度実装用の部品であるＢＧＡ６１，６２を、プリント配線板２４に容易に実装することができる。したがって、デメリットを抑制してテレビ１のデザイン性を向上させることができる。
【００４３】
青色に着色された第１の領域５１，５２と、黒色に着色された第２の領域５３とは、ともにプリント配線板２４の第１の面４５に設けられている。これにより、ＢＧＡ６１のような電子部品が実装される第１の面４５が、通気口４１のような開口部から視認可能であるとしても、通気口４１から視認可能な個所を目立ち難い黒色に着色することができる。これにより、テレビ１のデザイン性を向上させることができる。
【００４４】
一方の第１の領域５１は、一方のＢＧＡ６１のパッケージ部６７に覆われている。言い換えると、青色に着色された第１の領域５１が、パッケージ部６７の下に隠れる。これにより、テレビ１のデザイン性を向上させることができる。
【００４５】
第３の領域５４は、緑色に着色されている。これにより、ＢＧＡ６１，６２が実装される個所である第１の領域５１，５２と、ＱＦＰ６３が実装される個所である第３の領域５４との識別が容易になる。したがって、テレビ１の製造工程が容易になる。
【００４６】
プリント配線板２４の縁部４７は、第２の領域５３と同じ黒色に着色されている。これにより、通気口４１のような開口から縁部４７が視認されたとしても、プリント配線板２４が目立ち難い。したがって、テレビ１のデザイン性が向上する。
【００４７】
なお、第１ないし第３の領域５１，５２，５３，５４の形成方法は、上述のものに限らない。例えば、銅張積層板４８の一方の面４８ａの全域に第２の領域５３を形成し、第２の領域５３の上（銅張積層板４８の反対側）に第１の領域５１，５２と第３の領域５４とを形成しても良い。
【００４８】
また、第１の領域５１，５２と、第２の領域５３と、第３の領域５４とは、着色されたソルダレジストによって形成されたものに限らない。例えば、第１ないし第３の領域５１，５２，５３，５４は、インクによって塗装された部分であっても良い。
【００４９】
さらに、開口部は通気口４１に限らない。例えば、カード挿入口３７と、メディア挿入口３８と、凹部４２に設けられた前記複数のコネクタとが、開口部の一例であっても良い。例えば、プリント配線板２４がカード挿入口３７から視認可能である場合、第２の領域５３は、カード挿入口３７から視認可能な位置に設けられる。
【００５０】
次に、図６ないし図８を参照して、第２の実施の形態について説明する。なお、以下に開示する複数の実施形態において、第１の実施形態のテレビ１と同一の機能を有する構成部分には同一の参照符号を付す。さらに、当該構成部分については、その説明を一部または全て省略することがある。
【００５１】
図６は、第２の実施形態のプリント配線板２４を示す平面図である。図７は、図６のＦ７−Ｆ７線に沿ってプリント配線板２４の一部を示す断面図である。第２の実施形態において、第１の面４５がディスプレイモジュール２２と対向し、第２の面４６がリアカバー３２の内面と対向している。
【００５２】
図６に示すように、第２の面４６に、第２の領域５３と、第３の領域８１とが設けられている。第２の領域５３は、つや消しの黒色に着色されたソルダレジストによって形成されている。つや消しの黒色は、第２の色の一例である。第２の色の一例であるつや消しの黒色は、第１の色の一例である青色よりも解像性が低い。つや消しの黒色は、光沢のある色よりも、細かな傷が目立ち難い。
【００５３】
第２の領域５３は、第３の領域８１と隣接している。第２の領域５３と第３の領域８１との間は、直線状の境界８２で区切られている。図７に示すように、第２の領域５３の一部が、複数の通気口４１の近傍に設けられている。言い換えると、第２の領域５３の一部が、複数の通気口４１から視認可能な位置に設けられている。第２の領域５３は、暗色であるつや消しの黒色に着色されているため、通気口４１から視認された際に目立ち難い。
【００５４】
第３の領域８１は、光沢のある黒色に着色されたソルダレジストによって形成されている。光沢のある黒色は、第１の色と異なるとともに第２の色と異なる第３の色の一例である。第３の領域８１の一部は、カード挿入口３７から視認可能な位置に設けられている。
【００５５】
図７に示すように、プリント配線板２４の第１の面４５の全面に、第１の領域８４が設けられている。第１の領域８４は、第１の色の一例である青色に着色されたソルダレジストによって形成されている。図６に破線で示すように、第１の領域８４に、いわゆる高密度実装用の部品である２つのＢＧＡ６１，６２と、２つのＱＦＰ８５が実装されている。
【００５６】
図８は、ソルダレジストが塗布される前の銅張積層板４８と、銅張積層板４８にソルダレジストを塗布する塗布装置９０とを模式的に示す斜視図である。図８において、第２の領域５３と第３の領域８１との境界８２が設けられる位置を二点鎖線で示す。
【００５７】
図８に示すように、塗布装置９０は、銅張積層板４８の他方の面４８ｂにソルダレジストを塗布する。塗布装置９０は、スクリーン９１と、仕切り９２と、一対のロール９３，９４と、スキージ９５とを有している。
【００５８】
スクリーン９１は、外枠に保持されたメッシュ状のシートによって形成されている。スクリーン９１は、銅張積層板４８の他方の面４８ｂに対向するように配置される。
【００５９】
仕切り９２は、例えばスクリーン９１の外枠に取り付けられている。仕切り９２は、第２の領域５３と第３の領域８１との境界８２が設けられる位置の上（境界８２を覆う位置）に配置される。
【００６０】
一対のロール９３，９４は、同軸上に並んで設けられている。一対のロール９３，９４は、仕切り９２を挟んでいる。一対のロール９３，９４は、ロール移動手段によって、仕切り９２に沿って移動する。一方のロール９３は、第２の領域５３が設けられる部分の上を移動する。他方のロール９４は、第３の領域８１が設けられる部分の上を移動する。さらに、一対のロール９３，９４は、ロール移動手段によって銅張積層板４８に近づく方向に移動可能である。
【００６１】
一方のロール９３は、つや消しの黒色に着色されたソルダレジストを貯蔵する貯蔵部に接続されている。このソルダレジストは、ロール９３に設けられた複数の溝に入り込む。他方のロール９４は、光沢のある黒色に着色されたソルダレジストを貯蔵する他の貯蔵部に接続されている。このソルダレジストは、ロール９４に設けられた複数の溝に入り込む。仕切り９２によって、一方のロール９３のソルダレジストと、他方のロール９４のソルダレジストとが混ざることが防止される。
【００６２】
スキージ９５は、矩形の板状に形成され、仕切り９２を収容する切欠９７が設けられている。スキージ９５は、スキージ移動手段によって、仕切り９２に沿って移動する。さらに、スキージ９５は、スキージ移動手段によって銅張積層板４８に近づく方向に移動可能である。
【００６３】
第２の実施形態において、第２および第３の領域５３，８１は、例えば次のように形成される。まず、スクリーン９１を、銅張積層板４８の他方の面４８ｂに対向するように配置する。次に、一対のロール９３，９４を、スクリーン９１に当接させながら移動させる。これにより、スクリーン９１に、つや消しの黒色に着色されたソルダレジストと、光沢のある黒色に着色されたソルダレジストとがそれぞれ浸透する。スクリーン９１の網目から、銅張積層板４８の他方の面４８ｂに、つや消しの黒色に着色されたソルダレジストと、光沢のある黒色に着色されたソルダレジストとが付着する。
【００６４】
次に、スキージ９５を、スクリーン９１に当接させながら移動させる。これにより、銅張積層板に塗布されたつや消しの黒色に着色されたソルダレジストと、光沢のある黒色に着色されたソルダレジストとが製面される。すなわち、つや消しの黒色に着色されたソルダレジストと、光沢のある黒色に着色されたソルダレジストとの厚みが均一化される。
【００６５】
次に、銅張積層板４８から塗布装置９０を取り外し、塗布されたソルダレジストにマスキングを施す。ソルダレジストを露光した後、エッチングすることによって、図６に示すような第２の領域５３と、第３の領域８１とが形成される。
【００６６】
前記構成のテレビ１によれば、一部が通気口４１から視認可能な位置に設けられた第２の領域５３は、つや消しの黒色に着色されている。これにより、プリント配線板２４が目立ち難くなり、テレビ１のデザイン性が向上する。
【００６７】
一方で、第１の面４５の全面に、青色に着色された第１の領域８４が設けられている。このため、第１の領域８４は、ＢＧＡ６１，６２に対応した微細なパッド５６およびＱＦＰ８５に対応した微細なパッドを形成できる。さらに、ＢＧＡ６１，６２およびＱＦＰ８５が第１の領域８４に実装されるため、光学的自動検査が容易になる。
【００６８】
以上のように、第１の領域８４および第２の領域５３のそれぞれの条件に応じて、第１の領域８４の色と、第２の領域５３の色とを決定することができる。これにより、通気口４１から視認可能な個所を黒色に着色したとしても、高密度実装用の部品であるＢＧＡ６１，６２およびＱＦＰ８５を、プリント配線板２４に容易に実装することができる。したがって、デメリットを抑制してテレビ１のデザイン性を向上させることができる。
【００６９】
第２の領域５３はつや消しの黒色に着色され、第３の領域８１は光沢のある黒色に着色されている。すなわち、プリント配線板２４の第２の面４６は、黒色に着色されている。第２の面４６は、第１の面４５と異なり、ＢＧＡ６１のような電子部品の実装と、光学的自動検査とが不要である。したがって、第２の面４６を黒色に着色することによるデメリットが抑制される。
【００７０】
通気口４１から一部が視認可能な位置に設けられた第２の領域５３は、つや消しの黒色に着色されている。一方、カード挿入口３７から一部が視認可能な位置に設けられた第３の領域８１は、光沢のある黒色に着色されている。このように、開口部から視認可能な個所ごとに色を変えることで、テレビ１のデザイン性を向上させることができる。
【００７１】
銅張積層板４８は、一対のロール９３，９４によって、つや消しの黒色に着色されたソルダレジストと、光沢のある黒色に着色されたソルダレジストとが塗布される。これにより、第２の領域５３と第３の領域８１とを同時に形成することができる。
【００７２】
上記２つの実施形態において、光沢のある黒色およびつや消しの黒色を第２の色の一例として説明したが、第２の色はこれに限らない。たとえば、例えば白色や赤色のような、第１の色と異なる色であれば良い。また、第２の色は目立ち難い色に限らない。例えば、第２の色として目立つ明るい色を採用することで、テレビのデザイン性を向上させることができる。
【００７３】
次に、図９ないし図１１を参照して、第３の実施の形態について説明する。図９は、ポータブルコンピュータ１００を一部切り欠いて示す斜視図である。図１０は、ポータブルコンピュータ１００の底面１００ａを一部切り欠いて示す平面図である。図１１は、図９のＦ１１−Ｆ１１線に沿ってポータブルコンピュータ１００の一部を示す断面図である。
【００７４】
図９に示すように、ポータブルコンピュータ１００は、メインユニット１０１と、ディスプレイユニット１０２とを備えている。メインユニット１０１とディスプレイユニット１０２とは、ヒンジによって連結されている。
【００７５】
ディスプレイユニット１０２は、ディスプレイ筐体１０５と、ディスプレイモジュール２２とを有している。ディスプレイモジュール２２は、ディスプレイ筐体１０５に収容されている。ディスプレイ筐体１０５に、ディスプレイモジュール２２を露出させるディスプレイ開口３４が設けられている。
【００７６】
メインユニット１０１は、筐体１１１と、プリント配線板２４とを有している。第３の実施形態におけるプリント配線板２４は、いわゆる両面実装方式のプリント配線板である。プリント配線板２４は、筐体１１１に収容されている。筐体１１１は、トップカバー１１３と、ボトムカバー１１４とを有している。
【００７７】
トップカバー１１３は、メインユニット１０１の上面（ディスプレイユニット１０２側の面）１０１ａを形成する。上面１０１ａに、キーボード１１６と、タッチパッド１１７と、一対のボタン１１８とが設けられている。
【００７８】
図１０に示すように、ボトムカバー１１４は、ポータブルコンピュータ１００の底面（ディスプレイユニット１０２の反対側の面）１００ａと、側面１００ｂとを形成する。なお、トップカバー１１３が側面１００ｂを形成しても良い。
【００７９】
ポータブルコンピュータ１００の底面１００ａに、複数の吸気口１２１と、複数の排気口１２２と、メモリ収容部１２３と、ストレージ収容部１２４とが設けられている。吸気口１２１および排気口１２２は、通気口および開口部の一例である。メモリ収容部１２３およびストレージ収容部１２４は、開口部の一例である。複数の排気口１２２は、底面１００ａから側面１００ｂに亘ってそれぞれ設けられている。
【００８０】
メモリ収容部１２３は、ネジによって底面１００ａに取り付けられた第１のカバー１２６によって覆われている。メモリ収容部１２３にメモリが収容されている。プリント配線板２４の一部は、このメモリ収容部１２３から視認可能である。
【００８１】
ストレージ収容部１２４は、ネジによって底面１００ａに取り付けられた第２のカバー１２７によって覆われている。ストレージ収容部１２４にＨＤＤのようなストレージが収容されている。プリント配線板２４の一部は、このストレージ収容部１２４から視認可能である。
【００８２】
図１１に示すように、ボトムカバー１１４の内面は、第１の部分１３１と、複数の第２の部分１３２とを有している。複数の第２の部分１３２は、開口部の一例である吸気口１２１、排気口１２２、メモリ収容部１２３、およびストレージ収容部１２４の周りにそれぞれ設けられている。複数の第２の部分１３２は、吸気口１２１、排気口１２２、メモリ収容部１２３、およびストレージ収容部１２４からそれぞれ視認可能である。第１の部分１３１は、複数の第２の部分１３２を囲んで設けられている。
【００８３】
第１の部分１３１は、インクによって灰色に着色された部分である。なお、第１の部分１３１の色は、例えば青色のような他の色であっても良いし、ボトムカバー１１４の材料の色であっても良い。
【００８４】
第２の部分１３２は、インクによって黒色に着色された部分である。この黒色は、第１の部分１３１の色よりも濃く、且つ黒っぽい色である。なお、第２の部分１３２は、例えば赤色のような他の色に塗装されても良い。
【００８５】
図９に示すように、プリント配線板２４の第１の面４５は、トップカバー１１３の内面に対向している。第１の面４５は、第１の領域５１と、第２の領域５３と、第３の領域５４とが設けられている。第１の面４５に、ＢＧＡ６１と、ＱＦＰ６３と、複数の他の電子部品６４とが実装されている。
【００８６】
図１０に示すように、プリント配線板２４の第２の面４６は、ボトムカバー１１４の内面に対向している。第３の実施形態における第２の面４６は、第１の面４５と同じく実装面の一例である。第２の面４６に、第１の領域１３４と、第２の領域１３５とが設けられている。
【００８７】
第１の領域１３４は、第１の色の一例である青色に着色されたソルダレジストによって形成されている。第１の領域１３４は、導電部の一例である複数のパッドを有している。第１の領域１３４に、電子部品の一例であるＣＰＵ１３７が実装されている。
【００８８】
第２の領域１３５は、第２の色の一例である黒色に着色されたソルダレジストによって形成されている。第２の領域１３５は、吸気口１２１、排気口１２２、メモリ収容部１２３、およびストレージ収容部１２４から、それぞれ視認可能である。第２の領域１３５は、第１の領域１３４を囲っている。
【００８９】
第２の面４６に、冷却装置１３８が取り付けられている。冷却装置１３８は、銅製のフィン１４１を有している。フィン１４１は、モジュールの一例である。フィン１４１は、排気口１２２の近傍に配置されている。フィン１４１は、ＣＰＵ１３７に間接的に接続され、ＣＰＵ１３７が発する熱を放出する。
【００９０】
図１１に示すように、フィン１４１は、第１の領域１４２と、第２の領域１４３とを有している。第２の領域１４３は、排気口１２２に面したフィン１４１の端部であり、排気口１２２から露出されている。第２の領域１４３は、インクによって第２の色の一例である黒色に着色されている。
【００９１】
第１の領域１４２の面積は、第２の領域１４３の面積よりも広い。第１の領域１４２は塗装されておらず、フィン１４１の材料の部分が露出している。すなわち、第１の領域１４２の色は、フィン１４１の材料である銅の色である。銅の色は、第１の色の一例である。
【００９２】
前記構成のポータブルコンピュータ１００によれば、排気口１２２から視認可能な位置に設けられた第２の領域１４３は、黒色に着色されている。これにより、フィン１４１が目立ち難くなり、ポータブルコンピュータ１００のデザイン性が向上する。
【００９３】
一方で、第１の領域１４２の色は、フィン１４１の材料である銅の色である。すなわち、第１の領域１４２は、フィン１４１の材料の部分が露出しているため、塗装された第２の領域１４３よりも熱伝導性が高い。
【００９４】
以上のように、第１の領域１４２および第２の領域１４３のそれぞれの条件に応じて、第１の領域１４２の色と、第２の領域１４３の色とを決定することができる。これにより、排気口１２２から視認可能な個所を黒色に着色したとしても、ＣＰＵ１３７の排熱を効率的に行なうことができる。したがって、デメリットを抑制してポータブルコンピュータ１００のデザイン性を向上させることができる。
【００９５】
本発明のいくつかの実施形態を説明したが、これらの実施形態は、例として提示したものであり、発明の範囲を限定することは意図していない。これら新規な実施形態は、その他の様々な形態で実施されることが可能であり、発明の要旨を逸脱しない範囲で、種々の省略、置き換え、変更を行うことができる。これら実施形態やその変形は、発明の範囲や要旨に含まれるとともに、特許請求の範囲に記載された発明とその均等の範囲に含まれる。
【符号の説明】
【００９６】
１…テレビ、２１，１１１…筐体、２１ａ…前面部、２１ｃ…背面部、２２…ディスプレイモジュール、２４…プリント配線板、３４…ディスプレイ開口、３７…カード挿入口、３８…メディア挿入口、４１…通気口、４５…第１の面、４６…第２の面、４７…縁部、５１，５２，８４，１３４，１４１…第１の領域、５３，１３５，１４２…第２の領域、５４，８１…第３の領域、５６，５８…パッド、６１，６２…ＢＧＡ、６３，８５…ＱＦＰ、６７…パッケージ部、６８…端子、１００…ポータブルコンピュータ、１２１…吸気口、１２２…排気口、１２３…メモリ収容部、１２４…ストレージ収容部、１３４…第１の領域、１３５…第２の領域、１３７…ＣＰＵ、１４１…フィン。
【図１】
2012227782.tif 000003
【図２】
2012227782.tif 000004
【図３】
2012227782.tif 000005
【図４】
2012227782.tif 000006
【図５】
2012227782.tif 000007
【図６】
2012227782.tif 000008
【図７】
2012227782.tif 000009
【図８】
2012227782.tif 000010
【図９】
2012227782.tif 000011
【図１０】
2012227782.tif 000012
【図１１】
2012227782.tif 000013
【手続補正書】
【提出日】平成24年6月13日(2012.6.13)
【手続補正１】
【補正対象書類名】特許請求の範囲
【補正対象項目名】全文
【補正方法】変更
【補正の内容】
【特許請求の範囲】
【請求項１】
ディスプレイ開口が設けられた前面部と、通気口が設けられた背面部と、を有した筐体と、
前記筐体に収容されるとともに前記ディスプレイ開口から露出され、画像を表示するディスプレイモジュールと、
前記筐体に収容されたチューナと、
前記筐体に収容され、実装面を有した基板と、
パッケージ部と、前記パッケージ部に設けられた端子とを有し、前記基板の前記実装面に実装された電子部品と、
を具備し、
前記実装面に、前記電子部品の前記端子が電気的に接続された導電部を有するとともに第１の色に着色された第１の領域と、一部が前記通気口から視認可能な位置に設けられるとともに前記第１の色よりも解像性が低い第２の色に着色され、前記第１の領域に隣接した第２の領域と、が設けられ、
前記電子部品の前記パッケージ部が前記第１の領域の全域を覆ったことを特徴とするテレビ。
【請求項２】
開口部が設けられた筐体と、
前記筐体に収容され、導電部を有するとともに第１の色に着色された第１の領域と、前記開口部の近傍に設けられるとともに前記第１の色と異なる第２の色に着色された第２の領域と、を有した基板と、
前記第１の領域の全域を覆ったパッケージ部と、前記パッケージ部に設けられて前記導電部に電気的に接続された端子と、を有した電子部品と、
を具備したことを特徴とする電子機器。
【請求項３】
前記第１の領域は、前記第１の色に着色されたソルダレジストによって形成され、
前記第２の領域は、前記第２の色に着色されたソルダレジストによって形成されたことを特徴とする請求項２に記載の電子機器。
【請求項４】
前記第１の色は、前記第２の色よりも解像性が高いことを特徴とする請求項３に記載の電子機器。
【請求項５】
前記基板は、第１の面と、前記第１の面の反対側に位置する第２の面とを有し、
前記第１の領域および前記第２の領域は、前記基板の第１の面にそれぞれ設けられたことを特徴とする請求項３または請求項４に記載の電子機器。
【請求項６】
前記基板は、前記第１の色と異なるとともに前記第２の色と異なる第３の色に着色された第３の領域を有したことを特徴とする請求項２に記載の電子機器。
【請求項７】
前記基板は、第１の面と、前記第１の面の反対側に位置する第２の面と、前記第１の面から前記第２の面に亘って設けられ前記第２の色に着色された縁部と、を有したことを特徴とする請求項２に記載の電子機器。
【手続補正２】
【補正対象書類名】明細書
【補正対象項目名】０００６
【補正方法】変更
【補正の内容】
【０００６】
一つの実施の形態に係るテレビは、筐体と、ディスプレイモジュールと、チューナと、基板と、電子部品とを具備する。前記筐体は、ディスプレイ開口が設けられた前面部と、通気口が設けられた背面部と、を有する。前記ディスプレイモジュールは、前記筐体に収容されるとともに前記ディスプレイ開口から露出され、画像を表示する。前期チューナは前記筐体に収容される。前記基板は、前記筐体に収容され、実装面を有する。前記電子部品は、パッケージ部と、前記パッケージ部に設けられた端子とを有し、前記基板の前記実装面に実装される。前記実装面に、前記電子部品の前記端子が電気的に接続された導電部を有するとともに第１の色に着色された第１の領域と、一部が前記通気口から視認可能な位置に設けられるとともに前記第１の色よりも解像性が低い第２の色に着色され、前記第１の領域に隣接した第２の領域と、が設けられる。前記電子部品の前記パッケージ部は、前記第１の領域の全域を覆う。
【手続補正３】
【補正対象書類名】明細書
【補正対象項目名】００９５
【補正方法】変更
【補正の内容】
【００９５】
本発明のいくつかの実施形態を説明したが、これらの実施形態は、例として提示したものであり、発明の範囲を限定することは意図していない。これら新規な実施形態は、その他の様々な形態で実施されることが可能であり、発明の要旨を逸脱しない範囲で、種々の省略、置き換え、変更を行うことができる。これら実施形態やその変形は、発明の範囲や要旨に含まれるとともに、特許請求の範囲に記載された発明とその均等の範囲に含まれる。
以下に、本願の出願当初の特許請求の範囲の内容を付記する。
［１］ディスプレイ開口が設けられた前面部と、通気口が設けられた背面部と、を有した筐体と、
前記筐体に収容されるとともに前記ディスプレイ開口から露出され、画像を表示するディスプレイモジュールと、
前記筐体に収容されたチューナと、
前記筐体に収容され、実装面を有した基板と、
端子を有し、前記基板の前記実装面に実装された電子部品と、
を具備し、
前記実装面に、前記電子部品の前記端子が電気的に接続された導電部を有するとともに第１の色に着色された第１の領域と、一部が前記通気口から視認可能な位置に設けられるとともに前記第１の色よりも解像性が低い第２の色に着色され、前記第１の領域に隣接した第２の領域と、が設けられたことを特徴とするテレビ。
［２］開口部が設けられた筐体と、
前記筐体に収容され、導電部を有するとともに第１の色に着色された第１の領域と、前記開口部の近傍に設けられるとともに前記第１の色と異なる第２の色に着色された第２の領域と、を有した基板と、
前記導電部に電気的に接続された電子部品と、
を具備したことを特徴とする電子機器。
［３］前記第１の領域は、前記第１の色に着色されたソルダレジストによって形成され、
前記第２の領域は、前記第２の色に着色されたソルダレジストによって形成されたことを特徴とする［２］に記載の電子機器。
［４］前記第１の色は、前記第２の色よりも解像性が高いことを特徴とする［３］に記載の電子機器。
［５］前記基板は、第１の面と、前記第１の面の反対側に位置する第２の面とを有し、
前記第１の領域および前記第２の領域は、前記基板の第１の面にそれぞれ設けられたことを特徴とする［３］または［４］に記載の電子機器。
［６］前記電子部品は、パッケージ部と、前記パッケージ部から突出し前記導電部に接続された端子とを有し、
前記第１の領域は、前記パッケージ部に覆われたことを特徴とする［５］に記載の電子機器。
［７］前記基板は、第１の面と、前記第１の面の反対側に位置する第２の面とを有し、
前記第１の領域は、前記基板の前記第１の面に設けられ、
前記第２の領域は、前記基板の前記第２の面に設けられたことを特徴とする［３］または［４］に記載の電子機器。
［８］前記基板は、前記第１の色と異なるとともに前記第２の色と異なる第３の色に着色された第３の領域を有したことを特徴とする［２］に記載の電子機器。
［９］前記基板は、第１の面と、前記第１の面の反対側に位置する第２の面と、前記第１の面から前記第２の面に亘って設けられ前記第２の色に着色された縁部と、を有したことを特徴とする［２］に記載の電子機器。
［１０］開口部が設けられた筐体と、
前記筐体に収容され、第１の色に着色された第１の領域と、前記開口部から露出されるとともに前記第１の色と異なる第２の色に着色された第２の領域と、を有したモジュールと、
を具備したことを特徴とする電子機器。